(57)【要約】【課題】保形性が優れて形状が崩れない、ペット収容用のバッグを提供する。【解決手段】ペットを収容するバッグ１１であって、該バッグ１１は、底部１２と、該底部１２に連設して立ち上げられた一対の側部１３ａ、１３ｂと、該側部１３ａ、１３ｂの上部に連設する天井部１４と、該天井部１４及び前記側部１３ａ、１３ｂの両端部に沿ってスライドファスナー１５、１５を介して取り付けられると共に前記底部１２の両端部に開閉可能に連設される一対の蓋部１６、１６と、前記側部１３ａ、１３ｂに設けられる持ち手１７とを少なくとも有し、前記底部１２、前記側部１３ａ、１３ｂ及び前記天井部１４の両端部に沿った内側位置には、該内側形状に沿った形の芯材１８が取外し自在に設けられる。【選択図】      図３
2008173158.tif 000002
【特許請求の範囲】
【請求項１】
ペットを収容するバッグであって、
該バッグは、底部と、該底部に連設して立ち上げられた一対の側部と、該側部の上部に連設する天井部と、該天井部及び前記側部の両端部に沿ってスライドファスナーを介して取り付けられると共に前記底部の両端部に開閉可能に連設される一対の蓋部と、前記側部に設けられる持ち手とを少なくとも有し、
前記底部、前記側部及び前記天井部の両端部に沿った内側位置には、該内側形状に沿った形の芯材が取外し自在に設けられることを特徴とするバッグ。
【請求項２】
前記芯材は、帯状に形成されると共に、該芯材の所定位置には、嵌合部材が設けられ、
前記底部、前記側部及び前記天井部の両端部に沿った内側位置には、帯状体が縫着され、該帯状体の所定位置には、嵌合部材が設けられ、
前記帯状体の内側に沿って、前記芯材を挿入して、両者の嵌合部材同士を嵌合可能に形成したことを特徴とする請求項１に記載のバッグ。
【請求項３】
前記芯材は、所要形状の鋼材と、該鋼材の所定位置に沿って配設したプラスチック板とを、布材で被覆して帯状に形成すると共に、前記プラスチック板の所定位置に前記嵌合部材を取り付けた状態で、前記布材と前記プラスチック板とを縫着した構造であることを特徴とする請求項１又は２に記載のバッグ。
【発明の詳細な説明】
【技術分野】
【０００１】
本発明は、小型犬や猫などのペットを収容するためのバッグに関するものであり、更には、保形性に優れて形状が崩れないバッグに関するものである。
【背景技術】
【０００２】
従来、小型犬などのペットを収容するバッグとしては、次のような構成のものが知られている。このバッグは、一対の側部及び妻部と、上部と、底部とを有して箱形状に形成されており、側部には、メッシュ材が張設された窓部を有し、妻部には、ペットの首出し孔が設けられた構成である（特許文献１参照）。
【０００３】
また、バッグの側部、妻部及び底部は、合成樹脂板又はベニヤ板で形成された芯材を縫着してなり、保形性に優れた頑丈な作りに形成されている。
【特許文献１】実用新案登録第３０３５０９７号公報
【発明の開示】
【発明が解決しようとする課題】
【０００４】
この従来例のバッグにおいては、側部と妻部と底部とに合成樹脂板等の芯材を用いていることから、保形性や剛性に優れるものの、コンパクトに折り畳んで小さくすることができない。つまり、商品の輸送時や倉庫等での保管時に嵩張って不便であるという欠点を有している。
【０００５】
また、芯材が取り外せないので、バッグをそのまま洗濯機に投入して丸洗いすることができないというという欠点も有している。
【０００６】
従って、従来例におけるバッグにおいては、商品の輸送時や倉庫での保管時にコンパクトにできることと、洗濯時に丸洗いができることとに解決しなければならない課題を有している。
【課題を解決するための手段】
【０００７】
前記従来例の課題を解決する具体的手段として本発明は、ペットを収容するバッグであって、該バッグは、底部と、該底部に連設して立ち上げられた一対の側部と、該側部の上部に連設する天井部と、該天井部及び前記側部の両端部に沿ってスライドファスナーを介して取り付けられると共に前記底部の両端部に開閉可能に連設される一対の蓋部と、前記側部に設けられる持ち手とを少なくとも有し、前記底部、前記側部及び前記天井部の両端部に沿った内側位置には、該内側形状に沿った形の芯材が取外し自在に設けられることを特徴とするバッグを提供するものである。
【０００８】
また、前記芯材は、帯状に形成されると共に、該芯材の所定位置には、嵌合部材が設けられ、前記底部、前記側部及び前記天井部の両端部に沿った内側位置には、帯状体が縫着され、該帯状体の所定位置には、嵌合部材が設けられ、前記帯状体の内側に沿って、前記芯材を挿入して、両者の嵌合部材同士を嵌合可能に形成した構成としたものである。
【０００９】
更に、前記芯材は、所要形状の鋼材と、該鋼材の所定位置に沿って配設したプラスチック板とを、布材で被覆して帯状に形成すると共に、前記プラスチック板の所定位置に前記嵌合部材を取り付けた状態で、前記布材と前記プラスチック板とを縫着した構造としたものである。
【発明の効果】
【００１０】
本発明に係るバッグは、ペットを収容するバッグであって、該バッグは、底部と、該底部に連設して立ち上げられた一対の側部と、該側部の上部に連設する天井部と、該天井部及び前記側部の両端部に沿ってスライドファスナーを介して取り付けられると共に前記底部の両端部に開閉可能に連設される一対の蓋部と、前記側部に設けられる持ち手とを少なくとも有し、前記底部、前記側部及び前記天井部の両端部に沿った内側位置には、該内側形状に沿った形の芯材が取外し自在に設けられることによって、芯材を取り外せば、コンパクトに折って小さくすることができる。従って、商品の輸送時や倉庫等での保管時に便利である。また、芯材を取り外して、バッグをそのまま洗濯機に投入して丸洗いすることができるという種々の優れた効果を奏する。
【００１１】
また、前記芯材は、帯状に形成されると共に、該芯材の所定位置には、嵌合部材が設けられ、前記底部、前記側部及び前記天井部の両端部に沿った内側位置には、帯状体が縫着され、該帯状体の所定位置には、嵌合部材が設けられ、前記帯状体の内側に沿って、前記芯材を挿入して、両者の嵌合部材同士を嵌合可能に形成したことによって、芯材の取付け及び取外しが簡単であり、また取付状態が確実である。そして、帯状体の内側に芯材を挿入するので、帯状体が目隠しの役目を果たすこととなる。更に、バッグの製造時においては、芯材を別体として製作するので、芯材をバッグと一体に製作する場合と比較して、作業性が良好であるという種々の優れた効果を奏する。
【００１２】
更に、前記芯材は、所要形状の鋼材と、該鋼材の所定位置に沿って配設したプラスチック板とを、布材で被覆して帯状に形成すると共に、前記プラスチック板の所定位置に前記嵌合部材を取り付けた状態で、前記布材と前記プラスチック板とを縫着した構造であることによって、嵌合部材が芯材の所定の位置に正確に取り付けられることとなるという優れた効果を奏する。
【発明を実施するための最良の形態】
【００１３】
次に、本発明の実施の形態について図面を参照しながら説明する。まず、図１から図３において、符号１１はバッグを示し、このバッグ１１は、底部１２と、この底部１２に連設して立ち上げられた一対の側部１３ａ、１３ｂと、この側部１３ａ、１３ｂの上端部に連設する天井部１４と、この天井部１４及び前記側部１３ａ、１３ｂの両端部に沿ってスライドファスナー１５、１５を介して取り付けられると共に底部１２の両端部に開閉可能に連設される一対の蓋部１６、１６と、側部１３ａ、１３ｂにそれぞれ設けられる持ち手１７、１７と、底部１２、側部１３ａ、１３ｂ及び天井部１４の両端部に沿ったそれぞれの内側位置に設けられる芯材１８、１８とから構成される。
【００１４】
底部１２、側部１３ａ、１３ｂ、天井部１４及び蓋部１６は、合成繊維又は綿などの布製材料で形成されており、適度の剛性と柔軟性とを有している。また、底部１２と側部１３ａ、１３ｂと天井部１４とは、各部位を別体の布製材料で別々に形成してそれぞれの隣接部位を縫着してもよく、あるいは、各部位を一体の布製材料で一連に形成してもよい。要するに、各部位を別部材で形成しても、隣接する部位同士を一体の布製材料で形成してもよいのである。
【００１５】
底部１２は、長方形状を呈し、その上部には、図示しない板状の底板部材が配設されており、バッグ１１の中にペットなどを収容したときに、底部１２が湾曲するのを防いでいる。
【００１６】
側部１３ａ、１３ｂは、底部１２の両側に連設して立ち上げられている。一方の側部１３ａは、図２に示すように、メッシュ布１９が張設された大型の窓部２０が設けられており、この窓部２０から空気が流通できるようになっている。また、側部１３ａの上部側には、目隠し布２１が折曲げ自在に設けられており、この目隠し布２１で窓部２０を塞ぐことができるようになっている。なお、図２の符号２４、２５は、それぞれ面ファスナーを示し、両者を係止させて目隠し布２１の目隠し状態を維持する。
【００１７】
目隠し布２１の上部には、紐２２が縫着されており、この紐２２が下方に垂下している。また、側部１３ａの上部には、リング２３が設けられている。そして、目隠し布２１を巻回して、紐２２をリング２３に係止させれば、目隠し布２１の巻回状態を維持できるようになっている。
【００１８】
他方の側部１３ｂは、外側と内側との両側に図示しない収納ポケットがそれぞれ設けられており、この収納ポケットに小物類を収納できるようになっている。
【００１９】
持ち手１７は、合成繊維などの布製材料で形成されており、両方の端部１７ａ、１７ａが側部１３ａ及び側部１３ｂの上部にそれぞれ縫着されている。なお、持ち手１７に替えて、両方の蓋部１６、１６に取付具３１、３１を介して図示しないショルダーベルトを取り付けてもよい。
【００２０】
天井部１４は、側部１３ａ、１３ｂの上部に連設されており、中央部側にやや湾曲した形状に形成されている。
【００２１】
蓋部１６は、この天井部１４及び前記側部１３ａ、１３ｂの端部に沿ってスライドファスナー１５を介して開閉自在に取り付けられている。また、蓋部１６は、底部１２の端部に接続部１６ａを介して連設されている。従って、スライドファスナー１５の開操作で、蓋部１６を開成でき（図３参照）、閉操作で蓋部１６を閉成することができる（図１参照）。
【００２２】
また、蓋部１６には、図２に示すように、メッシュ布２６が張設された窓部２７が設けられており、この窓部２７から空気が流通できるようになっている。そして、蓋部１６の上部側には、目隠し布２８が折曲げ自在に設けられており、この目隠し布２８で窓部２７を塞ぐことができるようになっている。なお、図２の符号２９、３０は、それぞれホックを示し、目隠し布２８を巻回して、ホック２９、３０同士を嵌合させれば、目隠し布２８の巻回状態を維持できるようになっている。
【００２３】
底部１２と側部１３ａ、１３ｂと天井部１４との端部に沿った内側位置には、図３に示すように、帯状体３２がその一端部の縫着線３２ａに沿って縫着されている。帯状体３２は布材で形成されており、また、帯状体３２の他端部３２ｂに沿った位置は解放されている。そして、帯状体３２の上下両側部の４箇所には、雌型ホック３３（嵌合部材）が設けられている。
【００２４】
帯状体３２の内側には、図４（イ）に示す芯材１８が挿入されている。芯材１８は、図４（ロ）に示すように、カマボコ型に形成した棒状の鋼材１８ａと、この鋼材１８ａの上下両側部の４箇所に配設したプラスチック板１８ｂとを、布材１８ｃで被覆して帯状に形成すると共に、プラスチック板１８ｂの所定位置に雄型ホック３４（嵌合部材）を取り付けた状態で、縫着線１８ｄに沿って布材１８ｃとプラスチック板１８ｂとを縫着した構造である。このように芯材１８を形成することによって、雄型ホック３４が所定の位置に正確に取り付けられることとなる。
【００２５】
芯材１８は、図４（イ）に示すように、底部１２と側部１３ａ、１３ｂと天井部１４の内側形状に沿った形、つまり、カマボコ型に形成されているが、必ずしもこの形状に限定されることはない。例えば、長方形状、正方形状、円形状、楕円形状、多角形状等のように、バッグの形状に対応した種々の形に芯材１８を形成してもよいことは勿論である。
【００２６】
芯材１８の所定位置には、上述のように、雄型ホック３４が設けられており、この雄型ホック３４と、帯状体３２の雌型ホック３３とが嵌合可能に形成されている。
【００２７】
このような形状の芯材１８を、図３に示すように、帯状体３２の他端部３２ｂから内側に挿入して（矢印Ａ方向）、雄型ホック３４と帯状体３２の雌型ホック３３とを嵌合すれば、芯材１８が帯状体３２の内側に保持される。この芯材１８の存在によってバッグ１１の保形性及び剛性が優れたものとなる。
【００２８】
また、芯材１８を取り外せば、バッグ１１をコンパクトに折って小さくすることができるだけでなく、バッグ１１をそのまま丸洗いすることができる。そして、芯材１８は、帯状体３２の内側に挿入するので、帯状体３２が目隠しの役目を果たす。更に、芯材１８の雄型ホック３４と帯状体３２の雌型ホック３３とを嵌合するので、芯材１８の取付け及び取外しが簡単であり、また取付状態が確実である。
【図面の簡単な説明】
【００２９】
【図１】本発明に係るバッグ１１の斜視図である。
【図２】本発明に係るバッグ１１の斜視図である。
【図３】蓋部１６を開成して帯状体３２と芯材１８との関係を示す、バッグ１１の斜視図である。
【図４】（イ）芯材１８の斜視図である。（ロ）芯材１８の構造を示す、説明図である。
【符号の説明】
【００３０】
１１  バッグ
１２  底部
１３ａ、１３ｂ  側部
１４  天井部
１５  スライドファスナー
１６  蓋部
１６ａ接続部
１７  持ち手
１８  芯材
１８ａ鋼材
１８ｂプラスチック板
１８ｃ布材
１８ｄ縫着線
１９  メッシュ布
２０  窓部
２１  目隠し布
２２  紐
２３  リング
２４、２５  面ファスナー
２６  メッシュ布
２７  窓部
２８  目隠し布
２９、３０  ホック
３１  取付具
３２  帯状体
３２ａ縫着線
３２ｂ他端部
３３  雌型ホック（嵌合部材）
３４  雄型ホック（嵌合部材）
【図１】
2008173158.tif 000003
【図２】
2008173158.tif 000004
【図３】
2008173158.tif 000005
【図４】
2008173158.tif 000006